(57)【要約】【課題】携帯電話の信号による妨害を受けないし，省エネルギーにすることができる。【解決手段】第１及び第２の２つの異なる帯域の増幅回路を有するテレビ受信用増幅装置のうち，第１の帯域の信号を増幅する増幅回路の終段増幅器より入力側の伝送路の何れかの場所には，第１の帯域の信号から所定の帯域の希望信号を通過すると共に妨害波信号を除去するフィルタ回路と，第１の帯域の信号と電源電圧を通過する第１信号・電源通過回路と，前記フィルタ回路か，前記第１信号・電源通過回路かの何れかの経路を介して選択的に出力する選択手段とを備える。そして，前記選択手段を前記第１信号・電源通過回路に選択したときは，選択手段を介して前記電源電圧が第２の帯域の信号を増幅する増幅回路に供給され，前記選択手段を前記フィルタ回路に選択したときは，前記電源電圧が第２の帯域の信号を増幅する増幅回路には供給されないようにする。【選択図】  図２
2008079058.tif 000002
【特許請求の範囲】
【請求項１】
少なくとも，第１及び第２の２つの異なる帯域の信号を増幅する増幅器からなる増幅回路を有するテレビ受信用増幅装置において，
前記２つの異なる帯域の信号のうち，第１の帯域の信号を増幅する増幅回路の終段増幅器より入力側の伝送路の何れかの場所には，
第１の帯域の信号と前記増幅回路を動作させるための電源電圧を通過する第１信号・電源通過回路と，
第１の帯域の信号から所定の帯域の希望信号を通過するフィルタ回路と，
前記第１信号・電源通過回路か，前記フィルタ回路かの何れかの経路を介して選択的に切替出力する第１選択手段と，を備え，
前記第１選択手段の経路を前記第１信号・電源通過回路に選択したときは，第１信号・電源通過回路を通過した第１の帯域の信号は第１の帯域の信号を増幅する増幅器に入力され，第１信号・電源通過回路を通過した前記電源電圧は第２の帯域の信号を増幅する前記増幅回路に供給されるように構成され，
前記第１選択手段の経路を前記フィルタ回路に選択したときは，当該フィルタ回路を通過した所定の帯域の希望信号は第１の帯域の信号を増幅する増幅器に入力され，前記電源電圧は前記フィルタ回路によって第２の帯域の信号を増幅する前記増幅回路に供給されるのを遮断されるように構成したことを特徴とするテレビ受信用増幅装置。
【請求項２】
前記第１選択手段の入力側には，第１の帯域の信号を通過し選択手段側に出力すると共に第１電源電圧端から入力された電源電圧を通過し選択手段側に出力する第１電源重畳フィルタを備え，
前記第１選択手段の出力側には，前記第１選択手段から出力される第１の帯域の信号を通過し出力側に出力すると共に伝送路に重畳された電源電圧を分離して第２電源電圧端から出力する第２電源分離フィルタを備え，
前記第２電源分離フィルタの第２電源電圧端と第２の帯域の信号を増幅する増幅回路の電源接続端とを接続することによって，
前記第１選択手段の経路を前記第１信号・電源通過回路に選択したときは，第１信号・電源通過回路を通過した第１の帯域の信号は第１の帯域の信号を増幅する増幅器に入力され，第１信号・電源通過回路を通過した前記電源電圧は，前記第２の電源分離フィルタの第２電源電圧端を介して第２の帯域の信号を増幅する前記増幅回路に供給されるように構成され，
前記第１選択手段の経路を前記フィルタ回路に選択したときは，当該フィルタ回路を通過した妨害波が除去された希望信号は第１の帯域の信号を増幅する増幅器に入力され，前記電源電圧は前記フィルタ回路によって第２の帯域の信号を増幅する前記増幅回路に供給されるのを遮断されるように構成したことを特徴とする請求項１に記載のテレビ受信用増幅装置。
【請求項３】
前記第１の帯域の信号はＵＨＦ帯のテレビ信号であり，第２の帯域の信号はＶＨＦ帯のテレビ信号であり，妨害波は携帯電話の電波であることを特徴とした請求項１または請求項２の何れか１項に記載のテレビ受信用増幅装置。
【請求項４】
少なくとも，アンテナからの第３の帯域の信号を入力する入力端子と，当該入力端子からの第３の帯域の信号を増幅する第３の帯域の信号を増幅する増幅器からなる増幅回路と，当該増幅回路によって増幅された信号を出力する出力端子を備えたテレビ受信用増幅装置において，
第３の帯域の信号と前記増幅回路を動作させるための電源電圧を通過する第３信号・電源通過回路と，
第３の帯域の信号と前記増幅回路を動作させるための電源電圧を遮断する遮断回路と，
前記第３信号・電源通過回路か，前記遮断回路かの何れかの経路を介して選択的に切替出力する第３選択手段と，を備え，
前記第３選択手段の経路を前記第３信号・電源通過回路に選択したときは，当該第３信号・電源通過回路を通過した第３の帯域の信号は第３の帯域の信号を増幅する増幅器に入力され，第３信号・電源通過回路を通過した前記電源電圧は第３の帯域の信号を増幅する前記増幅回路へ供給されると共に前記入力端子から出力されるように構成され，
前記第３選択手段の経路を前記遮断回路に選択したときは，第３の帯域の信号を増幅する増幅器に入力される第３の帯域の信号は遮断され，前記電源電圧は第３の帯域の信号を増幅する前記増幅回路と前記入力端子へ供給されないように構成した事を特徴とするテレビ受信用増幅装置。
【請求項５】
前記第３選択手段の入力側には，前記入力端子から入力された第３の帯域の信号を通過し出力側に出力すると共に第３電源電圧端から入力された電源電圧を前記入力端子側に出力する第３電源重畳フィルタと，
前記第３電源重畳フィルタから出力された第３の帯域の信号を通過し前記第３選択手段側に出力すると共に第４電源電圧端から入力された電源電圧を通過し前記第３選択手段側に出力する第４電源重畳フィルタと，を備え，
前記第３選択手段の出力側には，
前記第３選択手段の経路を前記第３信号・電源通過回路に選択したときに出力される第３の帯域の信号と電源電圧から第３の帯域の信号を第３の帯域の信号を増幅器側に出力すると共に，電源電圧を分離して第５電源電圧端から出力するする第５電源分離フィルタ，を備え，
前記第５電源重畳フィルタの第５電源電圧端と前記第３電源分離フィルタの第３電源電圧端とを接続することによって，
前記選択手段の経路を前記第３信号・電源通過回路に選択したときは，当該第３信号・電源通過回路を通過した第３の帯域の信号は第３の帯域の信号を増幅する前記増幅回路に入力され，第３信号・電源通過回路を通過した前記電源電圧は，前記第５電源分離フィルタの第５電源電圧端から第３の帯域の信号を増幅する前記増幅回路へ供給されると共に，第３電源重畳フィルタを介して入力端子から出力されるように構成され，
前記第３選択手段の経路を前記遮断回路に選択したときは，第３の帯域の信号を増幅する増幅器に入力される第３の帯域の信号は遮断され，前記電源電圧は第３の帯域の信号を増幅する前記増幅回路と前記入力端子へ供給されないように構成した事を特徴とする請求項４に記載のテレビ受信用増幅装置。
【請求項６】
第３の帯域の信号を増幅する前記増幅回路は衛星放送受信用の衛星アンテナからの中間周波数帯の信号を増幅するように構成されたことを特徴とした請求項３に記載のテレビ受信用増幅装置。
【発明の詳細な説明】
【技術分野】
【０００１】
本発明は，主に家庭用あるいは共同受信用に利用されるＴＶ信号を増幅するテレビ受信用増幅装置に関し，詳しくはその回路構成に関する。
【背景技術】
【０００２】
携帯電話の普及に伴うサービスエリアの拡充のため，ビルや集合住宅の屋上や柱上などに，携帯電話の基地局が数多く設置されている。この基地局からは携帯電話用に認可された周波数帯の電波が放射されるのであるが，そのうちの８００ＭＨｚ帯（例えば８１０から８１７ＭＨや８７０から８８５ＭＨｚ）の電波を使っているものはＵＨＦ帯のテレビ信号（４７０から７７０ＭＨｚ）のすぐ上側の周波数帯域であり，しかもテレビ信号に比べ非常に強いレベルであるため，ＵＨＦ帯のテレビ信号の妨害波となる場合がある。
つまり，テレビ受信システム等に設置されたＵＨＦ帯のアンテナから，携帯電話の電波がテレビ受信用増幅装置に入力され，これによって増幅回路が入力オーバーとなりテレビの受信障害が発生するのである。
それに対して，図５に示される従来例のように，テレビ受信用増幅装置７０を構成するＵＨＦ増幅回路２１の前に，図６に示すような特性を有する携帯電話の信号を除去するフィルタ５１を設けたり，図５に示すように，前記除去フィルタ５１と信号通過回路（ＵＨＦ帯を通過するフィルタ回路で除去フィルタは備えていない）５４を選択手段ＳＷで切換可能にしたりすることで，ＵＨＦ増幅回路２１に対して過大なレベルの妨害波が入力されるのを阻止できるように構成することによって，携帯電話によるテレビの受信障害の発生を防止するようにしたものが提案されている。（例えば，特許文献１参照）
【０００３】
【特許文献１】特開２００４−２０１２５４号公報
【発明の開示】
【発明が解決しようとする課題】
【０００４】
ところで，ＵＨＦ帯の電波を使った放送として近年普及の著しい地上ディジタル放送があり，現在では地上アナログ放送が混在したサイマル放送が行われている。しかし，２０１１年には地上アナログ放送が完全停波されることになっており，ＶＨＦ帯とＵＨＦ帯の高域側の周波数帯を使ったアナログテレビ放送は行われない予定になっている。ところがアナログ放送が終了したＵＨＦ帯の高域側の周波数帯（７１０から７７０ＭＨｚ）は，テレビ放送以外のサービス用に（例えば，携帯電話用として）割り当てられる予定があり，このままでは，２０１１年以降，地上ディジタル放送の受信に新たな障害の発生が予想されるといった問題が有る。
それに加え，ＶＨＦ帯とＵＨＦ帯を増幅するテレビ受信用増幅装置を使ってサイマル放送を受信しているシステムでは，ＶＨＦ帯の放送が終了してもＶＨＦ帯の増幅回路が動作したままになるので，無駄な電力が消費された状態が続くといった問題がある。
更には，アナログ放送が停止されたときのアナログーディジタル変換工事において，ＵＨＦアンテナの設置や方向調整をしたときに，従来のＶＨＦ／ＵＨＦ受信システムから，必要のなくなったＶＨＦ帯のアンテナを取り除いてしまうような場合を考えると，従来のテレビ信号受信装置では，ＶＨＦ帯の増幅回路は稼動した状態のままにあるので，余分な電力を消費したり，入力側がオープン状態になってしまい，場合によってはテレビ受信用増幅装置が発振してしまったりといった問題が考えられる。
そこで本願においては，こうした問題点を解決するためになされたものであり，
その目的は，ＶＨＦ／ＵＨＦ帯および衛星放送などのテレビ放送の受信に適したテレビ受信用増幅装置を提供することを課題とする。
他の目的は，地上ディジタル放送の受信に好適なテレビ受信用増幅装置を提供することを課題とする。
他の目的は，妨害波による受信障害を排除可能なテレビ受信用増幅装置を提供することを課題とする。
他の目的は，アンテナの設置場所を変えたり，別筐体で構成された妨害波除去フィルタなどを使用したりすることなしに，携帯電話の信号による受信妨害を排除することを可能にするテレビ受信用増幅装置を提供することを課題とする。
他の目的は，妨害波による受信障害をテレビの視聴を停止することなく対応できるテレビ受信用増幅装置を提供することを課題とする。
他の目的は，簡単な操作で省電力化が可能なテレビ受信用増幅装置を提供することを課題とする。
【課題を解決するための手段】
【０００５】
上記課題を解決するために，請求項１の発明は，少なくとも，第１及び第２の２つの異なる帯域の信号を増幅する増幅器からなる増幅回路を有するテレビ受信用増幅装置において，前記２つの異なる帯域の信号のうち，第１の帯域の信号を増幅する増幅回路の終段増幅器より入力側の伝送路の何れかの場所には，第１の帯域の信号と前記増幅回路を動作させるための電源電圧を通過する第１信号・電源通過回路と，第１の帯域の信号から所定の帯域の希望信号を通過するフィルタ回路と，前記第１信号・電源通過回路か，前記フィルタ回路かの何れかの経路を介して選択的に切替出力する第１選択手段と，を備え，前記第１選択手段の経路を前記第１信号・電源通過回路に選択したときは，第１信号・電源通過回路を通過した第１の帯域の信号は第１の帯域の信号を増幅する増幅器に入力され，第１信号・電源通過回路を通過した前記電源電圧は第２の帯域の信号を増幅する前記増幅回路に供給されるように構成され，前記第１選択手段の経路を前記フィルタ回路に選択したときは，当該フィルタ回路を通過した所定の帯域の希望信号は第１の帯域の信号を増幅する増幅器に入力され，前記電源電圧は前記フィルタ回路によって第２の帯域の信号を増幅する前記増幅回路に供給されるのを遮断されるように構成した。
【０００６】
請求項２の発明は，請求項１に記載のテレビ受信用増幅装置において，前記第１選択手段の入力側には，第１の帯域の信号を通過し選択手段側に出力すると共に第１電源電圧端から入力された電源電圧を通過し選択手段側に出力する第１電源重畳フィルタを備え，前記第１選択手段の出力側には，前記第１選択手段から出力される第１の帯域の信号を通過し出力側に出力すると共に伝送路に重畳された電源電圧を分離して第２電源電圧端から出力する第２電源分離フィルタを備え，前記第２電源分離フィルタの第２電源電圧端と第２の帯域の信号を増幅する増幅回路の電源接続端とを接続することによって，前記第１選択手段の経路を前記第１信号・電源通過回路に選択したときは，第１信号・電源通過回路を通過した第１の帯域の信号は第１の帯域の信号を増幅する増幅器に入力され，第１信号・電源通過回路を通過した前記電源電圧は，前記第２の電源分離フィルタの第２電源電圧端を介して第２の帯域の信号を増幅する前記増幅回路に供給されるように構成され，前記第１選択手段の経路を前記フィルタ回路に選択したときは，当該フィルタ回路を通過した妨害波が除去された希望信号は第１の帯域の信号を増幅する増幅器に入力され，前記電源電圧は前記フィルタ回路によって第２の帯域の信号を増幅する前記増幅回路に供給されるのを遮断されるように構成した。
【０００７】
請求項３の発明は，請求項１または請求項２の何れか１項に記載のテレビ受信用増幅装置において，前記第１の帯域の信号はＵＨＦ帯のテレビ信号であり，第２の帯域の信号はＶＨＦ帯のテレビ信号であるように構成した。
【０００８】
請求項４の発明は，少なくとも，アンテナからの第３の帯域の信号を入力する入力端子と，当該入力端子からの第３の帯域の信号を増幅する第３の帯域の信号を増幅する増幅器からなる増幅回路と，当該増幅回路によって増幅された信号を出力する出力端子を備えたテレビ受信用増幅装置において，第３の帯域の信号と前記増幅回路を動作させるための電源電圧を通過する第３信号・電源通過回路と，第３の帯域の信号と前記増幅回路を動作させるための電源電圧を遮断する遮断回路と，前記第３信号・電源通過回路か，前記遮断回路かの何れかの経路を介して選択的に切替出力する第３選択手段と，を備え，前記第３選択手段の経路を前記第３信号・電源通過回路に選択したときは，当該第３信号・電源通過回路を通過した第３の帯域の信号は第３の帯域の信号を増幅する増幅器に入力され，第３信号・電源通過回路を通過した前記電源電圧は第３の帯域の信号を増幅する前記増幅回路へ供給されると共に前記入力端子から出力されるように構成され，前記第３選択手段の経路を前記遮断回路に選択したときは，第３の帯域の信号を増幅する増幅器に入力される第３の帯域の信号は遮断され，前記電源電圧は第３の帯域の信号を増幅する前記増幅回路と前記入力端子へ供給されないように構成した。
【０００９】
請求項５の発明は，請求項４に記載のテレビ受信用増幅装置において，前記第３選択手段の入力側には，前記入力端子から入力された第３の帯域の信号を通過し出力側に出力すると共に第３電源電圧端から入力された電源電圧を前記入力端子側に出力する第３電源重畳フィルタと，前記第３電源重畳フィルタから出力された第３の帯域の信号を通過し前記第３選択手段側に出力すると共に第４電源電圧端から入力された電源電圧を通過し前記第３選択手段側に出力する第４電源重畳フィルタと，を備え，前記第３選択手段の出力側には，前記第３選択手段の経路を前記第３信号・電源通過回路に選択したときに出力される第３の帯域の信号と電源電圧から第３の帯域の信号を第３の帯域の信号を増幅器側に出力すると共に，電源電圧を分離して第５電源電圧端から出力するする第５電源分離フィルタ，を備え，前記第５電源重畳フィルタの第５電源電圧端と前記第３電源分離フィルタの第３電源電圧端とを接続することによって，前記選択手段の経路を前記第３信号・電源通過回路に選択したときは，当該第３信号・電源通過回路を通過した第３の帯域の信号は第３の帯域の信号を増幅する前記増幅回路に入力され，第３信号・電源通過回路を通過した前記電源電圧は，前記第５電源分離フィルタの第５電源電圧端から第３の帯域の信号を増幅する前記増幅回路へ供給されると共に，第３電源重畳フィルタを介して入力端子から出力されるように構成され，前記第３選択手段の経路を前記遮断回路に選択したときは，第３の帯域の信号を増幅する増幅器に入力される第３の帯域の信号は遮断され，前記電源電圧は第３の帯域の信号を増幅する前記増幅回路と前記入力端子へ供給されないように構成した。
【００１０】
請求項６の発明は，請求項３または請求項４の何れか１項に記載のテレビ受信用増幅装置において，第３の帯域の信号を増幅する前記増幅回路は衛星放送受信用の衛星アンテナからの中間周波数帯の信号を増幅するように構成した。
【発明の効果】
【００１１】
請求項１から請求項３の発明によれば，ＶＨＦ帯とＵＨＦ帯のテレビ信号を使った地上アナログ放送と，ＵＨＦ帯のテレビ信号を使った地上ディジタル放送が混在したサイマル放送が行われていても，従来のテレビ受信用増幅装置と同様の使い方でテレビ受信システムが構築できる。
しかも，本発明のテレビ受信用増幅装置を用いてテレビ受信システムを構築していおけば，２０１１年に地上アナログ放送が終了した後であっても，スイッチからなる選択手段の簡単な操作一つで，ＵＨＦ帯のテレビ信号を増幅する増幅回路を動作させたまま，ＶＨＦ帯のテレビ信号を増幅する増幅回路の動作を停止できるのでテレビ受信用増幅装置が消費する電力量を少なくすることで省エネルギーとすることができるし，この省エネ化がスイッチの切替操作だけですむので，テレビの視聴を制限（停止）することなく工事が行える。そして，ＶＨＦ増幅回路を停止させておけば，入力がオープンになっても発振することが無く安定した使用ができる。
また，地上ディジタル放送のテレビ信号が割り当てられていないＵＨＦ帯の高域側の所定周波数帯域に，新たにＵＨＦ帯の高域側の所定周波数帯域を使ったサービスが割り当てられた場合でも，省エネ化によるＶＨＦ帯の増幅回路の停止スイッチ操作と同時に，テレビ受信用増幅装置に予め備えられた所定周波数帯の信号（つまり，妨害電波。）の通過を阻止するフィルタ回路によって当該電波がＵＨＦ帯のテレビ信号を増幅する増幅回路に入力されることを防止しするように構成されていることから，新たなサービスによって増幅回路が入力オーバー等を起こして受信障害が発生するといったことのない，極めて汎用性が高く利便性のよいテレビ受信用増幅装置が提供できるのである。
加えて，別筐体で構成された妨害波除去用のフィルタ回路をテレビ受信用増幅装置の前の同軸ケーブルに介挿させて対策する場合のように，妨害対策工事においてテレビの視聴を長時間に亘って制限すること無く工事が行えるので，この点においても優位性の高いテレビ受信用増幅装置を提供できる。
【００１２】
請求項４から請求項６の発明によれば，新しくテレビ受信システムを構築する際に，今は衛星放送を見ないが，将来見る場合に備えて，予め，ＶＨＦ／ＵＨＦ帯の増幅回路に加えて衛星アンテナからの中間周波数帯の信号を増幅する増幅回路を備えたブースターを設置しておく場合であっても，衛星放送を見ない間（即ち，衛星アンテナを接続していないとき）はＢＳ／ＣＳ増幅回路である中間周波数帯の増幅回路を動作しない状態に維持しておくことができるから省エネルギーになる。また，衛星放送を見るために衛星アンテナを設置したときは，スイッチからなる選択手段の簡単な操作一つで，中間周波数帯の増幅回路を動作させることができるし，同時に衛星アンテナを構成するコンバータへの給電を開始することができるので極めて利便性のよいテレビ受信用増幅装置を提供できる。
【発明を実施するための最良の形態】
【００１３】
以下に，本発明を具体化した実施形態の例を，図面を基に詳細に説明する。
図１は本発明に係るテレビ受信用増幅装置を備えたテレビ受信用システム例を示し，図２は本発明のテレビ受信用増幅装置の例としてのＶＵ・ＢＳ／ＣＳブースターを示し，その概略構成を説明するためのブロック図である。図３は本発明の携帯電話信号除去フィルタの特性の一例を示す。図４は本発明に係る経路選択回路の異なる実施例を示すブロック図である。図５は従来のテレビ受信用増幅装置の概略構成を示すブロック図である。図６は従来の携帯電話信号除去フィルタの特性の一例を示す。
【実施例１】
【００１４】
図１は，テレビ受信システム１００の構成例を示している。ＶＨＦ帯（例えば９０から２２２ＭＨｚ）を使ったテレビ放送局１０１，ＵＨＦ帯（例えば４７０から７７０ＭＨｚ）を使ったテレビ放送局１０３から放射された電波はそれぞれＶＨＦアンテナ２とＵＨＦアンテナ４で受信し，同軸ケーブル３ａ，３ｂを介してテレビ受信用増幅装置１の入力端子ＩＮ１，ＩＮ２から入力されている。また，ＢＳ（衛星放送）やＣＳ（通信衛星）からの電波は衛星アンテナ５で受信し，当該衛星アンテナ５に備えられた図には示されていないコンバータにおいて中間周波数帯（例えば１０３２から２６０２ＭＨｚ）の信号に周波数変換した後に，同軸ケーブル３ｃを介してテレビ受信用増幅装置１の入力端子ＩＮ３に入力されている。
テレビ信号増幅器１は例えば３０ｄＢの利得を有した増幅回路からなり，入力された各信号をそれぞれ所定レベルだけ増幅した後に混合し，一つの出力端子ＯＵＴから混合信号として出力される。出力された混合信号は同軸ケーブル３ｄを介して宅内に引き込まれてから分配器６に入力され，当該分配器６において所定の数だけ分配し出力される。本発明の実施例では，分配器６は４分配であり，分配された信号はそれぞれ同軸ケーブル３ｅを介してその端部に接続されたテレビ端子７ａ，７ｂ，７ｃ，７ｄに供給されている。このうちテレビ端子７ａには同軸ケーブ３ｆ，電源供給装置８を介して前記混合信号がテレビに入力されている。この電源供給装置８はテレビ９にテレビ受信用増幅装置１からの混合信号を通過すると共に，テレビ受信用増幅装置１に電源電圧を供給するためのものであり，電源電圧が同軸ケーブル３ｆ，テレビ端子７ａ，同軸ケーブル３ｅ，分配器６，同軸ケーブル３ｄを介してテレビ受信用増幅装置１のＯＵＴから供給されている。
【００１５】
図１に示される１０２はビルや集合住宅の屋上や，柱上などに数多く設置されている携帯電話用の基地局である。この基地局１０２からは，テレビ用のＵＨＦ帯の上側の周波数帯，例えば８１０から８１７ＭＨや８７０から８８５ＭＨｚを使った携帯電話の電波が送信されている。更に，２０１１年に地上アナログ放送が終了した後は，ＵＨＦ帯の高域側である７１０（ｃｈ５３）から７７０ＭＨｚ（ｃｈ６２）の周波数帯域はテレビ放送の割り当てがなくなり，その空いた周波数帯域には新しいサービス，例えば携帯電話の電波が割り当てられて送信されることが考えられる。
すでに送信されている電波を含め，特に，新しく割り当てられるとされる周波数帯域の電波は，ＵＨＦ帯を使った地上ディジタル放送（４７０から７１０ＭＨｚ）の周波数帯域のすぐ上側の周波数帯域であるため，これらの電波はＵＨＦアンテナ４で受信されてテレビ信号受信の妨害波となる。この電波はテレビ信号のレベルに比べて高く，この妨害波がテレビ受信用増幅装置１に入力されると増幅回路が入力レベルオーバーになりテレビの受信に障害が発生することがあり，その対策が必要となるのである。
【００１６】
図２を用いて本発明のテレビ受信用増幅装置１の実施例について具体的に説明する。ＶＨＦアンテナ２で受信されたＶＨＦ帯の信号は同軸ケーブル３ａを介してテレビ受信用増幅装置１のＶＨＦ入力端子ＩＮ１に入力される。入力されたＶＨＦ信号はＶＨＦ入力側フィルタ（例えば，コンデンサとコイルとからなるバンドパスフィルタ）１０を通過した後，ＶＨＦ増幅回路１１の入力端１２から入力され，高周波増幅素子としてのトランジスタやＩＣ等で構成された増幅器１３，１４等で所定量増幅された後に出力端１５から出力される。そして，増幅回路１１において増幅されたＶＨＦ信号はＶＨＦ出力側フィルタ（例えば，コンデンサとコイルとからなるローパスフィルタ）１６を通過した後に，後述するＵＨＦ帯の信号と混合される。更にこのＶＨＦ信号とＵＨＦ信号の混合信号は後述のＢＳ／ＣＳ信号とを混合するためのＶＵ出力側フィルタ２７（例えば，コンデンサとコイルとからなるローパスフィルタ）を通過して，ＶＨＦ帯の信号は，ＵＨＦ帯とＢＳ／ＣＳ帯の信号と混合されて電源分離フィルタ４０から出力端子ＯＵＴへ出力される。
この電源分離フィルタ４０は，ＶＵ・ＢＳ／ＣＳ帯の信号を出力端子ＯＵＴ側に通過すると共に，出力端子ＯＵＴに接続された同軸ケーブル３ｄに重畳されてきた前記電源供給装置８からの電源電圧を分離して電源電圧端４０ａから取り出すことができるように構成されている。
尚，本発明に係るＶＨＦ増幅回路１１は２段構成となっているが，その構成段数は２段構成でなくてもよい。また，自動若しくは手動で利得の調整を行うことができるよう利得調整回路を備えてもよい等，実施例に限定されるものではない。
【００１７】
ＵＨＦアンテナ４で受信されたＵＨＦ帯の信号は同軸ケーブル３ｂを介してテレビ受信用増幅装置１のＵＨＦ入力端子ＩＮ２に入力される。入力されたＵＨＦ信号はＵＨＦ入力側フィルタ（例えば，コンデンサとコイルとからなるハイパスフィルタ）２０を通過した後に電源重畳フィルタ４１に入力される。電源重畳フィルタ４１はＵＨＦ入力側フィルタ２０を通過したＵＨＦ帯の信号を出力側に通過すると共に，電源電圧端４１ａに入力された電圧を出力側に通過するように構成されている。そして，本発明の実施例では，前記電源分離フィルタ４０の電源電圧端４０ａと前記電源重畳フィルタ４１の電源電圧端４１ａとを接続することによって，電源重畳フィルタ４１の出力からは，出力端子ＯＵＴに接続された同軸ケーブル３ｄに重畳されてきた電源電圧が出力されることになる。尚，電源重畳フィルタ４１が請求項に記載の第１電源重畳フィルタであり，電源電圧端子４１ａが請求項に記載の第１電源電圧端である。
【００１８】
この電源重畳フィルタ４１を通過したＵＨＦ帯の信号と電源電圧は，例えばスイッチからなる第１選択手段ＳＷ１に入力される。この第１選択手段ＳＷ１には，電源重畳フィルタ４１を通過したＵＨＦ帯の信号の中から所定の帯域を通過させると共に，前記所定の帯域を除く信号（つまり，妨害波。）と前記電源電圧とを阻止する帯域制限用フィルタ（例えば，コンデンサとコイルで構成されたローパスフィルタとＤＣ電源遮断用のコンデンサＣからなる。）５０と，電源重畳フィルタ４１を通過したＵＨＦ帯の信号と電源電圧を通過する第１信号・電源通過回路５１が並列に接続されており，前記第１選択手段ＳＷ１の切換操作によって経路が選択的に切換えできる経路切換回路５５が形成されている。
【００１９】
この帯域制限用フィルタ５０は，妨害波となりうると予測されるＵＨＦ帯の高域側の周波数を使った携帯電話の信号と８００ＭＨｚ帯の携帯電話の信号を除去するためのものであり，本発明の実施例では図３に示すように少なくとも４７０から７１０ＭＨｚを通過帯域とし，それ以上の周波数帯，特に７１０から７７０ＭＨｚ帯の何れかの所定の周波数帯，８１０から８１７ＭＨおよび８７０から８８５ＭＨｚの周波数帯を使った携帯電話の電波の通過を阻止するように構成されている。
尚，この帯域制限用フィルタが請求項に記載の妨害波信号を除去するフィルタ回路で有る。また本発明の実施例では当該フィルタ回路５０はＵＨＦ入力側フィルタ２０とＵＨＦ増幅回路２１との間に備えた例を示したが，増幅回路２１の終段増幅器より入力側の伝送路のいずれに備えさせてもよい。また，本発明に実施例では選択手段ＳＷ１はスイッチである例を示したが，高周波素子としてのピンダイオード等から構成される半導体スイッチで構成してもよい。
【００２０】
また，前記第１信号・電源通過回路５１はＵＨＦ帯の信号と電源電圧を通過するように構成されていると共に，携帯電話に使われているＵＨＦ帯のすぐ上側の帯域である前記８１０から８１７ＭＨや８７０から８８５ＭＨｚの周波数帯を遮断するように構成（図６に示す従来のフィルタ回路と同様な特性を有する。）されている。
また，図４に示されるように，第２選択手段ＳＷ２に，前記帯域制限用フィルタ５０と，妨害波阻止フィルタを備えた前記第１信号・電源通過回路５１と，妨害波阻止フィルタを備えていない電源電圧と４７０から７７０ＭＨｚを通過帯域とする第２信号・電源通過回路（図５の従来例に示す５４と同様な構成であるが，ＵＨＦ帯の信号に加えて電源電圧が通過可能に構成されたフィルタ）５２を備えて，それらの経路を選択的に切換可能に構成した経路切換回路５５を構成してもよい。この第２信号・電源通過回路５２には妨害波阻止フィルタが備えられていないので，第２信号・電源通過回路５２のＵＨＦ帯の通過損失は，帯域制限用フィルタ５０，第１信号・電源通過回路５１に比べて通過損失を小さくすることができ，妨害波のない地域においてこのテレビ受信用増幅装置１を使用する場合などは，第２信号・電源通過回路５２を選択することによってより良好な受信ができるといった幅の広い地域において受信システムが構築できる。
【００２１】
第１選択手段ＳＷ１の出力側には電源分離フィルタ４２が接続されており，第１選択手段ＳＷ１によって選択された経路を通過するＵＨＦ帯の信号と電源電圧若しくはフィルタ回路５０によって帯域の制限されたＵＨＦ帯の信号は電源分離フィルタ４２に入力される。この電源分離フィルタ４２は第１選択手段ＳＷ１を通過したＵＨＦ帯の信号を出力側に通過すると共に，電源電圧が伝送路に重畳されているならこの電源電圧を電源電圧端４２ａから取り出すことができるように構成されたものである。そして，本発明の実施例では電源分離フィルタ４２の電源電圧端４２ａは前記ＶＨＦ増幅回路１１の電源接続端１１ａと接続されており，前記第１選択手段ＳＷ１を第１信号・電源通過回路５１側に選択したときは，ＵＨＦ帯の信号をＵＨＦ増幅回路２１に入力すると共に，前記出力端子ＯＵＴ側に接続された同軸ケーブルに重畳されてきた電源電圧は，電源分離フィルタ４０，電源重畳フィルタ４１，第１選択手段ＳＷ１，第１信号・電源通過回路５１，電源分離フィルタ４２の電源電圧端４２ａを介して電源接続端１１ａからＶＨＦ増幅回路１１の動作電源として供給されるように構成されている。
また逆に，前記第１選択手段ＳＷ１を帯域制限用フィルタ回路５０側に選択したときは，帯域の制限されたＵＨＦ帯の信号をＵＨＦ増幅回路２１に入力すると共に，ＶＨＦ増幅回路１１の動作電源は遮断されるように構成されている。尚，電源分離フィルタ４２が請求項に記載の第２電源分離フィルタであり，電源電圧端子４２ａが請求項に記載の第２電源電圧端である。
【００２２】
電源分離フィルタ４２を通過したＵＨＦ帯の信号はＵＨＦ増幅回路２１の入力端２２から入力され増幅器２３，２４等で所定量増幅された後に出力端２５から出力される。ＵＨＦ増幅回路２１において増幅された信号はＵＨＦ出力側フィルタ２６（例えば，コンデンサとコイルとからなるハイパスフィルタ）を通過した後に，ＶＨＦ出力側フィルタ１６を通過したＶＨＦ帯の信号と混合される。そして，このＶＨＦ信号とＵＨＦ信号の混合信号は上述のようにＢＳ／ＣＳ信号とを混合するためのＶＵ出力側フィルタ２７を通過して，ＵＨＦ帯の信号は，ＶＨＦ帯とＢＳ／ＣＳ帯の信号と混合されて電源分離フィルタ４０から出力端子ＯＵＴへ出力される。
尚，本発明に係るＵＨＦ増幅回路２１は２段構成となっているが，その構成段数は２段構成でなくてもよい。また，自動若しくは手動で利得の調整を行うことができるよう利得調整回路を備えてもよい等，実施例に限定されるものではない。
【００２３】
衛星アンテナ５で受信されたＢＳ／ＣＳの信号は同軸ケーブル３ｃを介してテレビ受信用増幅装置１のＢＳ／ＣＳ入力端子ＩＮ３に入力される。入力されたＢＳ／ＣＳ信号は電源重畳フィルタ４３，電源重畳フィルタ４４，第３選択手段ＳＷ３，電源分離フィルタ４５を介してＢＳ／ＣＳ増幅回路３１側に出力される。
この第３選択手段ＳＷ３には，ＢＳ／ＣＳ帯の信号と電源電圧を通過する第３信号・電源通過回路５２とＢＳ／ＣＳ帯の信号と電源電圧の通過を阻止する遮断回路とが並列に接続されており，前記第１選択手段ＳＷ１の切換操作によって，ＢＳ／ＣＳ帯の信号と電源電圧を通過するか，ＢＳ／ＣＳ帯の信号と電源電圧の通過を阻止する遮断するかの経路が選択的に切換出力できるようになっている。尚，本発明の実施例では，遮断回路は図に示されるようにオープン状態を示している。
【００２４】
ここでまず電源電圧の経路について説明する。本発明の実施例では，前記電源分離フィルタ４０の電源電圧端４０ａと電源重畳フィルタ４４の電源電圧端４４ａは接続されており，前記出力端子ＯＵＴ側に接続された同軸ケーブルに重畳されてきた電源電圧は電源重畳フィルタ４４によって伝送路に重畳され出力される。そして，第３選択手段ＳＷ３が信号・電源通過回路５３側に選択された場合は，電源電圧は電源分離フィルタ４５に入力される。この電源分離フィルタ４５の電源電圧端４５ａは前記電源重畳フィルタ４３の電源電圧端子４３ａと接続されていると共に，後述するＢＳ／ＣＳ増幅回路３１の電源接続端３１ａに接続されていることによって，電源分離フィルタ４５によって分離された電源電圧は電源重畳フィルタ４３を介してＢＳ／ＣＳ入力端子ＩＮ３から出力されると共に，ＢＳ／ＣＳ増幅回路３１の動作電源として供給されるように構成されている。
また，第３選択手段ＳＷ３が遮断回路側に選択された場合は，電源電圧の供給が遮断されるので，電源電圧がＢＳ／ＣＳ入力端子ＩＮ３から出力されなくなるし，同時にＢＳ／ＣＳ増幅回路３１への電源供給が止められる。尚，電源重畳フィルタ４３が請求項に記載の第３電源重畳フィルタであり，電源電圧端子４３ａが請求項に記載の第３電源電圧端である。また，電源重畳フィルタ４４が請求項に記載の第４電源重畳フィルタであり，電源電圧端子４４ａが請求項に記載の第４電源電圧端である。また，電源分離フィルタ４５が請求項に記載の第５電源分離フィルタであり，電源電圧端子４５ａが請求項に記載の第５電源電圧端である。また，本発明に実施例では選択手段ＳＷ３はスイッチである例を示したが，高周波素子としてのピンダイオード等から構成される半導体スイッチで構成してもよい。
【００２５】
次に，ＢＳ／ＣＳ信号の流れについて説明する。電源分離フィルタ４５を通過したＢＳ／ＣＳ信号は，ＢＳ／ＣＳ入力側フィルタ（例えば，コンデンサとコイルとからなるハイパスフィルタ）３０を通過した後，ＢＳ／ＣＳ増幅回路３１の入力端３２から入力され，高周波増幅素子としてのトランジスタやＩＣ等で構成された増幅器３３，３４等で所定量増幅された後に出力端３５から出力される。そして，ＢＳ／ＣＳ増幅回路３１において増幅されたＢＳ／ＣＳ信号はＢＳ／ＣＳ出力側フィルタ（例えばハイパスフィルタ）３６を通過した後に，ＶＨＦ帯およびＵＨＦ帯の信号と混合される。そして，ＶＨＦ帯とＵＨＦ帯とＢＳ／ＣＳ帯の混合信号は電源分離フィルタ４０から出力端子ＯＵＴへ出力される。
尚，本発明に係るＢＳ／ＣＳ増幅回路３１は２段構成となっているが，その構成段数は２段構成でなくてもよい。また，自動若しくは手動で利得の調整を行うことができるよう利得調整回路を備えてもよい等，実施例に限定されるものではない。
【００２６】
このように構成されたテレビ受信用増幅装置の効果を説明する。まず，ＶＨＦ帯とＵＨＦ帯のテレビ信号を使った地上アナログ放送と，ＵＨＦ帯のテレビ信号を使った地上ディジタル放送が混在したサイマル放送が行われていても，従来のテレビ受信用増幅装置と同様の使い方でテレビ受信システムが構築できる。
【００２７】
しかも，本発明のテレビ受信用増幅装置を用いてテレビ受信システムを構築していおけば，２０１１年に地上アナログ放送が終了した後であっても，スイッチからなる選択手段ＳＷ１の簡単な操作一つで，ＵＨＦ帯のテレビ信号を増幅する増幅回路２１を動作させたまま，ＶＨＦ帯のテレビ信号を増幅する増幅回路１１の動作を停止できるのでテレビ受信用増幅装置１が消費する電力量を少なくすることで省エネルギーとすることができるし，この省エネ化がスイッチの切替操作だけですむので，テレビの視聴を制限（停止）することなく工事が行える。そして，ＶＨＦアンテナを取り外してＶＨＦの入力がオープンになっても増幅回路１１が発振することがなくなるので，この点からも安定して使用ができるのである
【００２８】
また，地上ディジタル放送のテレビ信号が割り当てられていないＵＨＦ帯の高域側の所定周波数帯域に，新たにＵＨＦ帯の高域側の所定周波数帯域を使ったサービスが割り当てられた場合でも，スイッチ操作によるＶＨＦ帯の増幅回路の停止による省エネ化と同時に，テレビ受信用増幅装置に予め備えられた所定周波数帯の信号（つまり，妨害電波。）の通過を阻止するフィルタ回路によって当該電波がＵＨＦ帯のテレビ信号を増幅する増幅回路に入力されることを防止するように線路切換回路５５が構成されていることから，新たなサービスによって増幅回路が入力オーバー等を起こして受信障害が発生するといったことのない，極めて汎用性が高く利便性のよいテレビ受信用増幅装置が提供できるのである。
また，上記実施例の図４によく示される経路切換回路５５の異なる実施例のように，第２選択手段ＳＷ２に，前記帯域制限用フィルタ５０と，従来からある携帯電話の周波数帯（８００ＭＨｚ帯）の妨害波阻止フィルタを備えた４７０から７７０ＭＨｚを通過帯域する前記第１信号・電源通過回路５１と，電源電圧と妨害波阻止フィルタを備えていない４７０から７７０ＭＨｚの帯域を通過帯域とする第２信号・電源通過回路５２を並列に接続して，それらの経路を選択的に切換可能に構成すれば，携帯電波の基地局から離れていたり，建物などで遮蔽されていたりして携帯電話の電波による妨害がない地域では，妨害阻止フィルタを備えたほかの経路に比べて通貨損失の小さな第２信号・電源通過回路を選択することによってより良好な受信ができるようにすることができる。
加えて，別筐体で構成された妨害波除去用のフィルタ回路をテレビ受信用増幅装置の前の同軸ケーブルに介挿させて対策する場合のように，妨害対策工事においてテレビの視聴を長時間に亘って制限すること無く工事が行えるので，この点においても優位性の高いテレビ受信用増幅装置を提供できる。
【００２９】
また，テレビ受信システムを構築する際に，今は衛星放送を見ないが，将来見る場合があることに備えて，予め，ＶＨＦとＵＨＦ帯の増幅回路１１と２１に加えて衛星アンテナからの中間周波数帯の信号を増幅する増幅回路３１を備えたブースターを設置する場合であっても，衛星放送を見ない間（即ち，衛星アンテナを接続していないとき）は第３選択手段ＳＷ３の簡単な操作一つで，中間周波数帯の増幅回路３１を動作しない状態に維持できるから省エネルギーになる。また，衛星放送を見るために衛星アンテナを追加したときは，スイッチからなる第３選択手段ＳＷ３を第３信号・電源通過回路側に切換える簡単な操作一つで，中間周波数帯の増幅回路３１を動作させることができるし，切換と同時に衛星アンテナを構成するコンバータへの給電を入力端子ＩＮ３から開始することができる利便性のよいテレビ受信用増幅装置を提供できる。
尚，本発明は上記実施の形態に限定されるものではなく，以下に例示するように，本発明の趣旨を逸脱しない範囲で各部の構成を適宜に変更して実施することも可能である。
本発明の実施例では，ＶＨＦ帯とＵＨＦ帯の信号が別入力のテレビ受信用増幅装置の例を示したがＶＨＦ帯とＵＨＦ帯の混合入力型にしてもよいし，別入力，混合入力を切換可能にしてもよい。
また，上記実施例に示すＢＳ／ＣＳ増幅回路は有ってもよいし無くてもよいし，ＢＳ／ＣＳ増幅回路だけを備えたＢＳ／ＣＳブースターであってもよい。
また本発明の実施例ではテレビ受信用増幅装置１と電源供給装置８が別体である電源分離型の例を示したが，電源供給装置をテレビ受信用増幅装置に内蔵させたものに対応するように構成してもよい。
更に，本発明の実施例ではＵＨＦ帯域（７１０から７７０ＭＨｚ）内に発生する妨害波の対策の例を示したが，図５に示すＵＨＦ帯域のすぐ上側の帯域（８００ＭＨｚ帯）に発生する妨害波の対策の例として示した従来例に対して，選択手段ＳＷの切換操作と連携してＶＨＦ増幅回路への電源供給を行ったり停止したりするように構成してもよいことは言うまでも無い。
【図面の簡単な説明】
【００３０】
【図１】本発明に係るテレビ受信用増幅装置を備えたテレビ受信用システム例を示す。
【図２】本発明のテレビ受信用増幅装置の例としてのＶＵ・ＢＳ／ＣＳブースターを示し，その概略構成を説明するためのブロック図である。
【図３】本発明にかかる携帯電話信号除去フィルタの特性の一例を示す。
【図４】経路切換回路の異なる実施例を示すブロック図である。
【図５】従来のテレビ受信用増幅装置の概略構成を示すブロック図である。
【図６】従来の携帯電話信号除去フィルタの特性の一例を示す。
【符号の説明】
【００３１】
１…テレビ受信用増幅装置，２…ＶＨＦアンテナ，３…同軸ケーブル，４…ＵＨＦアンテナ，５…衛星アンテナ，６…分配器，７…テレビ端子，８…電源部，９…テレビ，１０…ＶＨＦ入力側フィルタ，１１…ＶＨＦ増幅回路，１２…入力端，１３・１４…増幅器，１５…出力端，１６…ＶＨＦ出力側フィルタ，２０…ＵＨＦ入力側フィルタ，２１…ＵＨＦ増幅回路，２２…入力端，２３・２４…増幅器，２５…出力端，２６…ＵＨＦ出力側フィルタ，２７…ＶＵ出力側フィルタ，３０…ＢＳ／ＣＳ入力側フィルタ，３１…ＢＳ／ＣＳ増幅回路，３２…入力端，３３・３４…増幅器，３５…出力端，３６…ＢＳ／ＣＳ出力側フィルタ，４０…電源分離フィルタ，４１…（第１）電源重畳フィルタ，４２…（第２）電源分離フィルタ，４３…（第３）電源重畳フィルタ，４４…（第４）電源重畳フィルタ，４５…（第５）電源分離フィルタ，５０…妨害波除去用のフィルタ回路，５１…第１信号・電源通過回路，５２…第２信号・電源通過回路，５３…第３信号・電源通過回路，５４…信号通過回路，７０…従来のテレビ受信用増幅装置，１００…テレビ受信システム，１０１…ＶＨＦ帯のテレビ放送局，１０２…携帯電話の基地局，１０３…ＵＨＦ帯のテレビ放送局，ＳＷ…選択手段，ＳＷ１…第１選択手段，ＳＷ２…第２選択手段，ＳＷ３…第３選択手段。
【図１】
2008079058.tif 000003
【図２】
2008079058.tif 000004
【図３】
2008079058.tif 000005
【図４】
2008079058.tif 000006
【図５】
2008079058.tif 000007
【図６】
2008079058.tif 000008